(57)【要約】【課題】本発明は、微振動する刷掃部材を有し、唇表面の皮剥けや荒れを改善することができるとともに、マッサージ効果により唇の血行促進を高めることができる唇洗浄用ブラシの提供を目的とする。【解決手段】本発明は、唇表面を清掃する唇洗浄用ブラシであって、唇表面の余分な皮剥けを防止し、血行を改善するための少なくとも１つの刷掃部材２と、この刷掃部材２を装着自在かつ微振動可能な振動付与機構を備えたハンドル部３とを具備してなり、前記振動付与機構がモーター６の出力軸に装着された偏心錘７を具備する機構であって、前記刷掃部材２へ付与する振動数が前記モーターの６０００〜１８０００回転／分に伴う偏心錘７からの振動数によることを特徴とする唇洗浄用ブラシ。【選択図】図１
2011130982.tif 000002
【特許請求の範囲】
【請求項１】
唇表面を清掃する唇洗浄用ブラシであって、唇表面の余分な皮剥けを防止し、血行を改善するための少なくとも１つの刷掃部材と、この刷掃部材を装着自在かつ微振動可能な振動付与機構を備えたハンドル部とを具備してなり、
前記振動付与機構がモーターの出力軸に装着された偏心錘を具備する機構であって、前記刷掃部材へ付与する振動数が前記モーターの６０００〜１８０００回転／分に伴う偏心錘からの振動数によることを特徴とする唇洗浄用ブラシ。
【請求項２】
前記少なくとも１つの刷掃部材は、直径４mil以下のフィラメントからなる毛束を１つ以上備えたことを特徴とする請求項１に記載の唇洗浄用ブラシ。
【請求項３】
前記少なくとも１つの刷掃部材は、軟質樹脂からなる突起部を１つ以上備えたことを特徴とする請求項１または２に記載の唇洗浄用ブラシ。
【請求項４】
直径４mil以下のフィラメントからなる毛束を１つ以上片面に備え、軟質樹脂からなる突起部を１つ以上を他面に備えた刷掃部材を有してなることを特徴とする請求項１〜３のいずれかに記載の唇洗浄用ブラシ。
【発明の詳細な説明】
【技術分野】
【０００１】
本発明は、微振動する刷掃部材を有し、唇の表面を清掃する唇洗浄用ブラシに関する。
【背景技術】
【０００２】
生体の皮膚の表面に医療用や化粧用の物質を付与し、この物質を皮膚表面からの吸収により生体内部組織へ浸透させる場合、その吸収を阻害する要因として皮膚の老廃物や老化角質が表面バリアとなる現象が知られている。このため、皮膚の表面バリアをピーリング（剥離）する方法や装置が知られているが、中でも唇は皮膚組織が極めて薄く、敏感な部位であるがために、特別な配慮が必要となる。
例えば、皮膚が極めて薄い唇を傷付けることなく滑らかにする効果を持たせるために、平均粒子径を５０〜２００μｍとした結晶セルロースを化粧料全量に対して０．５〜３０重量％含有させることにより、適度な粘度を確保しつつ十分なスクラブ効果を発揮させた唇用の化粧料が知られている。（特許文献１参照）
しかし、この特許文献１に記載された技術は、ハンドマッサージで唇の老廃物を除去する方法であるために、唇表面に対する均一な加圧が困難であり、均一かつ精密なピーリングは困難であった。
【０００３】
そこで他の手段を考慮すると、電気的な振動を洗浄に利用したブラシや装置が種々考案されている。（特許文献２、３参照）
特許文献２に記載された技術は、洗顔用の電導フェイスブラシであり、顔面のような微細な凹凸のある表面を洗浄する場合、手動による操作では動作速度に限界があることと、皮膚をブラシで強く擦り付けると皮膚の角質を痛めることがあることに鑑み、開発されている。特許文献３に記載された技術は、皮膚表面をピーリングするために平均粒径を１０００ｎｍ未満の研磨粒子としたピーリング剤を供給した研磨パッドをグリップ部の先端側に備えたハンディタイプのピーリング装置を提供している。
【先行技術文献】
【特許文献】
【０００４】
【特許文献１】特開２００１−０３１５２５号公報
【特許文献２】特開２００３−１０２５５１号公報
【特許文献３】特開２００４−２７７３２５号公報
【発明の概要】
【発明が解決しようとする課題】
【０００５】
前記特許文献２、３に記載された技術は、いずれも顔や腕の皮膚用であって、これらの技術を唇の洗浄用として用いると、唇の組織を傷付けてしまうおそれがある。
即ち、従来の技術では、唇の皺の溝の汚れを洗浄し、唇の皮剥けや荒れた唇の表面状態を改善するとともに、マッサージ効果により唇の血行促進を高める技術や器具について開発されていないのが現状であった。
【０００６】
本発明は、微振動する刷掃部材を有し、敏感な唇表面の皮剥けや荒れを改善することができるとともに、マッサージ効果により唇の血行促進をなすことができる唇洗浄用ブラシの提供を目的とする。
【課題を解決するための手段】
【０００７】
上記目的を達成するために、本発明は以下の構成を有する。
本発明の唇洗浄ブラシは、唇表面を清掃する唇洗浄用ブラシであって、唇表面の余分な皮剥けを防止し、血行を改善するための少なくとも１つの刷掃部材と、この刷掃部材を装着自在かつ微振動可能な振動付与機構を備えたハンドル部とを具備してなり、
前記振動付与機構がモーターの出力軸に装着された偏心錘を具備する機構であって、前記刷掃部材へ付与する振動数が前記モーターの６０００〜１８０００回転／分に伴う偏心錘からの振動数によることを特徴とする唇洗浄用ブラシ。
【０００８】
本発明の唇洗浄ブラシは、前記少なくとも１つの刷掃部材は、軟質樹脂からなる突起部を１つ以上備えたことを特徴とする。
本発明の唇洗浄ブラシは、前記振動付与機構が、電源とモーターと偏芯錘とを具備してなることを特徴とする。
本発明の唇洗浄ブラシは、直径４mil以下のフィラメントからなる毛束を１つ以上片面に備え、軟質樹脂からなる突起部を１つ以上を他面に備えた刷掃部材を有してなることを特徴とする。
【発明の効果】
【０００９】
本発明の唇洗浄用ブラシによれば、振動付与部材から好適な振動数が付与されて振動させている刷掃部材を唇に当てることにより、敏感な唇の組織を傷付けることなく唇の皺の溝の汚れを洗浄することができ、唇の皮剥けや荒れた唇の表面状態を改善できるとともに、好適な振動数に伴うマッサージ効果により唇の血行を促進することができる唇洗浄用ブラシを提供することができる。
刷掃部材へ付与する振動数がモーターの６０００〜１８０００回転／分に伴う偏心錘からの振動数によるものであるので、敏感な唇の組織を傷付けることなく唇の皺の溝の汚れを洗浄することができ、上述の効果を確実に奏し得る。
【００１０】
前記刷掃部材が、直径４mil以下のフィラメントからなる毛束を有する構成、あるいは、軟質樹脂からなる突起部を備えたものであるならば、敏感な唇の組織を傷付けることなく唇の皺の溝の汚れを洗浄する上で有利となる。
前記刷掃部材が一面側に毛束を備え他面側に軟質樹脂の突起部を備えた構成であるならば、一面側の毛束を用いて刷掃する状態と他面側の突起部を用いて刷掃する状態の切り替えが可能となり、使用者個人の唇の状態に応じ、好適な毛束あるいは好適な硬度の軟質樹脂の突起部を使い分けて使用することができる。
【図面の簡単な説明】
【００１１】
【図１】本発明の唇洗浄用ブラシの第１実施形態を示す図であり、図１（Ａ）は内部構造を透視的に簡略して示すハンドル部に刷掃部材を取り付けた状態を示す模式図、図１（Ｂ）はハンドル部の側面図。
【図２】図１に示す唇洗浄ブラシに備えられる刷掃部材を示すもので、図２（Ａ）は刷掃部材の第１実施形態の平面図、図２（Ｂ）は同形態の刷掃部材の側面図、図２（Ｃ）は刷掃部材の第２実施形態の側面図。
【図３】刷掃部材の第３実施形態を示すもので、図３（Ａ）は第３実施形態の刷掃部材の平面図、図３（Ｂ）は第３実施形態の刷掃部材の側面図。
【図４】刷掃部材の第４実施形態を示す側面図。
【発明を実施するための形態】
【００１２】
以下、本発明の実施形態について、図面を参照しながら説明する。
図１は本発明に係る唇洗浄用ブラシの第１実施形態の構造を示すもので、図１（Ａ）は本体部１と刷掃部材２からなる唇洗浄用ブラシＡにおいて本体部１の内部構造を透視図とした状態の側面略図、図１（Ｂ）は同本体部１の側面図である。
本実施形態の唇洗浄用ブラシＡの本体部１は、人手で把持可能な細筒型のハンドル部３の内部に、単三型の乾電池などの電源５と、この電源５からの電力の供給によって動作するモーター６と、このモーター６の出力軸に取り付けられた偏心錘７とが組み込まれた構造とされている。ハンドル部３においてモーター６と偏心錘７とから振動付与機構が構成される。
ハンドル部３の後端部は開口部３ａとされ、この開口部にねじ込む形態のボトムキャップ８が着脱自在に設けられている。このボトムキャップ８の先端部側に前記ハンドル部３の開口部３ａに挿入自在な筒部８ａが形成され、この筒部８ａの外周部に形成されたネジ部８ｂをハンドル部３の開口部３ａの内周面に形成されたネジ部（図示略）に螺合することでボトムキャップ８がハンドル部３にねじ込みできるように構成されている。また、筒部８ａの基端部外周にリング状の防水ゴム９が介装されていて、ボトムキャップ８をハンドル部３の開口部３ａにねじ込み結合した状態において防水性を確保できるように構成されている。
【００１３】
前記ハンドル部３の外側面には、モーター６の作動開始用のスイッチ１０とモーター６の作動停止用のスイッチ１１とが設けられている。なお、図面において電源５からモーター６に通電するための配線や回路は略しているが、ハンドル部３の内部側において電源５とモーター６との間にはスイッチ１０、１１の内部回路を経由する形態で配線や回路が形成されていてスイッチ１０、１１の操作によりモーター６の始動と停止が自由に出来るように構成されている。
【００１４】
前記ハンドル部３の先端側は、若干先窄まり状に形成されているが、その先端部３ｂの中央に金属製の支持軸１２が突出形成されている。また、ハンドル部３の先端側の内部空間に前記モーター６の出力軸に装着された偏心錘７が位置されていて、モーター６の出力軸を回転駆動することにより偏心錘７がハンドル部３の内部空間を回転移動し、この際に生じる回転力に応じた振動エネルギーを支持軸１２に伝達できるように構成されている。
本実施形態の唇洗浄用ブラシＡに適用するモーター６は、乾電池１本からの電圧により回転数６０００〜１８０００回転／分程度の範囲の回転数を確保することができる小型の一般市販のものを用いることができる。また、振幅は、振幅０．３〜１ｍｍ程度の範囲とすることが好ましい。この目的に供するモーター６の一例として、１．５Ｖの電圧で９０００回転／分の回転が可能なマブチモーター製ＲＦ−１２０ＪＷＡ−６Ｚ１１５（商品名）等を適用することができる。
【００１５】
前記ハンドル部３の支持軸１２に対し、刷掃部材２が着脱自在に装着されている。この刷掃部材２は、図２（Ａ）に拡大して示すように前記支持軸１２に対し着脱自在とするための中空部を有するパイプ状の装着ロッド２ａと、この装着ロッド２ａの先端側に一体的に形成された円形板（直径２０ｍｍ程度の略円形板）状の刷掃体２ｂとからなり、この刷掃体２ｂの一面にポリエチレンテレフタレートなどの合成樹脂製の太さ３milの用毛を複数本植え込んでなる毛束１３を所定の間隔で植設してなる刷掃部１５が形成されている。
【００１６】
この実施形態で、例えば、刷掃体２ｂに毛束１３を植設した穴の径を１．２ｍｍと設定し、穴数を２８個、千鳥状に配置するとともに、毛束１３を構成する用毛は毛先を丸め加工した長さ４．４ｍｍ程度のナイロン、ポリブチレンテレフタレート、トリポリメチレンテレフタレートなどからなるストレート用毛を用いることができる。
ここで用いる用毛が、４milより太くなると唇の皺の溝への侵入性が低下するだけでなく、必要以上に唇をピーリングすることにより唇組織を傷付けるおそれがあるので、上述したナイロンなどからなる材料製のストレート用毛を用いる場合は１mil以上、４mil以下の範囲、より好ましくは、２mil以上、４mil以下の太さ範囲が好ましい。（通常の歯ブラシ用の用毛太さは５mil以上）また、用毛の長さは、通常の歯ブラシ用の用毛より短い３．０〜８．０ｍｍ程度の範囲で適切な長さとすればよい。更に、刷掃体２ｂの形状は、唇に対する操作性を考慮し、略円形もしくは略横長形状とすることができ、植毛幅は唇に対して操作し易い範囲である１０〜２５ｍｍ程度とすることが好ましい。
【００１７】
図１に示す唇洗浄用ブラシＡを用いて唇の清掃を行うには、ハンドル部３の支持軸１２に刷掃部材２の装着ロッド２ａを挿入しておき、手動によりハンドル部３のスイッチ１０を操作してモーター６の出力軸を回転駆動し、偏心錘７を回転駆動する。この偏心錘７の回転駆動によりハンドル部３の支持軸１２が微振動し、この微振動が装着ロッド２ａを介し刷掃部２ｂを微振動させる。この状態からハンドル部３を手で操作して毛束１３を唇に押し当てることにより、毛束１３による唇表面の清掃ができる。
ここで刷掃体２ｂに植毛されている毛束１３を構成する用毛は、太さが３mil程度であり、通常の歯ブラシに適用される５〜８milの用毛より細く弾性も低いので、唇表面を傷付けることなく適度な力で刷掃し、唇表面の老廃物や老化角質などの除去を行うとともに唇をマッサージすることができる。即ち、唇表面組織を痛めることなく唇を清掃することができる。
本実施形態の唇洗浄用ブラシＡにあっては、モーター６の回転数として、６０００〜１８０００回転／分程度の好適な範囲を採用しており、この範囲の回転数の選択によって、唇表面を傷付けることなく適度な力で刷掃し、唇表面の老廃物や老化角質などの除去を行うとともに唇をマッサージすることができるとの効果を確実に奏することができる。
【００１８】
図２（Ｂ）は本発明に係る唇洗浄用ブラシに適用する刷掃部材の第２実施形態を示すもので、この第２実施形態の刷掃部材２０は、先の第１実施形態の刷掃部材２の構成と同等構成の装着ロッド２ａと刷掃体２ｂを有するが、刷掃体２ｂに植毛している毛束１６を構成する用毛を太さ４milのテーパー毛として刷掃部１７が構成された点に特徴を有する。
用毛をテーパー毛とすることにより、細いテーパー毛が唇の皺の溝の奥まで確実に侵入して清掃ができるとともに、４mil以下のテーパー毛であるならば、上述の３mil以下のストレート用毛と同等、唇表面組織を痛めることなく唇を清掃することができる。このようにテーパー毛を用毛として用いる場合は、２mil以上、４mil以下の太さとすることが好ましい。
【００１９】
図３は刷掃部材の第３実施形態を示すもので、この形態の刷掃部材３０は先の形態の刷掃部材２の構成と同等構成の装着ロッド３０ａを有するが、刷掃体３０ｂが横長の偏平状の楕円板からなり、刷掃体３０ｂに千鳥状に３列の突起部３３が合計１３個埋め込まれて刷掃部３５が構成されている点に特徴を有する。その他の構造は先の実施形態と同等である。
これらの突起部３０は外径１．０ｍｍの円錐状に形成され、エラストマー（スチレン系エラストマー、オレフィン系エラストマー、ポリエステル系エラストマーなど：硬度１０Ａ〜７０Ａ程度、例えば４０Ａ程度）などの軟質樹脂からなり、高さは３ｍｍ程度に形成されている。これら突起部３０の先端は、Ｒ０．２〜０．６程度の丸め加工が施されていることが好ましい。
本実施形態の刷掃部材３０においても先の第１、第２実施形態の刷掃部材２、２０と同様に使用することができ、同等の効果が得られる。
【００２０】
図４は刷掃部材の第４実施形態を示すもので、この形態の刷掃部材４０は先の形態の刷掃部材２の構成と同等構成の装着ロッド４０ａと刷掃体４０ｂを有するが、刷掃体４０ｂの一面側に植毛している毛束１６を構成する用毛を先の第２実施形態のテーパ毛と同じ太さ４milのテーパー毛とするとともに、刷掃体４０ｂの他側の面に先の第３実施形態の千鳥状に３列配置したものと同等の突起部３３を植設した点に特徴を有する。
本実施形態の刷掃部材４０においても先の第１、第２実施形態の刷掃部材２、２０と同様に使用することができ、同等の効果が得られるが、本実施形態の刷掃部材４０にあっては、一面側の毛束１６を用いて刷掃する状態と他面側の突起部３３を用いて刷掃する状態の切り替えが可能となり、使用者個人の唇の状態に応じ、好適な毛束あるいは好適な硬度の軟質樹脂の突起部３３を使い分けて使用することができる。
なお、テーパー毛からなる毛束１６において各テーパー毛の先端が細いので唇の皺の溝に侵入しやすく、清掃の面で特に優れ、軟質樹脂製の突起部３３は先端が丸いので唇に対する当たりが柔らかくマッサージ効果に特に優れているので、両者の特徴的な機能を使い分けて使用することができる。
【実施例】
【００２１】
「実施例１」
図２（Ａ）、（Ｂ）に示す刷掃部材を用いて女性テスターに２週間連続使用する試験を行った。即ち、刷掃部材の刷掃部の直径は２０ｍｍの略円形であり、その円形状の刷掃部の一面に穴径１．２ｍｍの植毛穴を２８穴、千鳥状に配置した構造であり、６−１２ナイロンからなる太さ３mil、毛丈４．５ｍｍのストレート用毛を用いた構造の刷掃部材を試験に供した。この構成の刷掃部材を図１に示す９０００回転／分で振幅０．５ｍｍとなるモーターと偏心錘を内蔵した本体部に装着し、唇洗浄用ブラシ完成品として試験に供した。なお、本体部の仕様は、全長１９０ｍｍ、モーター：マブチモーターＲＦ−Ｊ２０ＷＡ−６Ｚ１１５（商品名）を用い、電源は単４型アルカリ電池を用いた。
そして、使用前と使用後における血流量とａ＊値（唇の赤みの指標）と角層水分量を測定したところ、以下の表１の結果が得られた。
【００２２】
【表１】
2011130982.tif 000003
【００２３】
表１において、血流量はＮＩＨＯＮ  ＫＨＯＤＥＮ社製の「超音波血流計ＱＦＭ−２１」を用いて測定し、ａ＊値は（株）マイセック製「ハンディ型簡易分光測色計  ＮＦ−３３３」を用いて測定し、水分量はアイ・ビイ・エス（株）製「皮表角層水分量測定装置」を用いて測定した。
上述の構造の唇洗浄ブラシを連用して２週間用いた結果、表１に示す如く唇の毛細血管の血流量増加が認められ、また唇の赤みの増加、唇の角層水分量増加も明らかになり、角層の状態も改善されていることを確認することができた。
【００２４】
「実施例２」
実施例１において用いた唇洗浄用ブラシの毛束の用毛をポリブチレンテレフタレートからなるテーパ毛に代えて図２（Ｃ）に示す構造とした刷掃部材を用いて同等の試験を行った。この刷掃部材の用毛に適用したテーパ毛の直径は４．０milである。
この構成の刷掃部材を図１に示す９０００回転／分で振幅０．５ｍｍとなるモーターと偏心錘を内蔵した本体部に装着し、唇洗浄用ブラシ完成品として試験に供した。
そして、使用前と使用後における血流量とａ＊値（唇の赤みの指標）と角層水分量を測定したところ、以下の表２の結果が得られた。
【００２５】
【表２】
2011130982.tif 000004
【００２６】
この実施例２の唇洗浄ブラシを用いたところ、先の実施例１と同様に、唇の毛細血管の血流量増加が認められ、また唇の赤みの増加、唇の角層水分量増加も明らかになり、角層の状態も改善されていることを確認できた。
【００２７】
「実施例３」
実施例２において用いた唇洗浄用ブラシに代えて図３に示す構造とした刷掃部材を用いて同等の試験を行った。この刷掃部材においては用毛の代わりに、スチレン系エラストマー樹脂の「セプトン」（クラレ株式会社、登録商標）を用いた。この突起物の形状は底面が直径１ｍｍの円錐形状で高さ３ｍｍの突起物を刷掃部材の刷掃部に設けた１３穴に植設した構造となっている。
この構成の刷掃部材を図１に示す９０００回転／分で振幅０．５ｍｍとなるモーターと偏心錘を内蔵した本体部に装着し、唇洗浄用ブラシ完成品として試験に供した。
そして、使用前と使用後における血流量とａ＊値（唇の赤みの指標）と角層水分量を測定したところ、以下の表３の結果が得られた。
【００２８】
【表３】
2011130982.tif 000005
【００２９】
この唇洗浄ブラシを連用して２週間用いたところ、先の実施例１、２と同様に、唇の毛細血管の血流量増加が認められ、また唇の赤みの増加、唇の角層水分量増加も明らかになり、角層の状態も改善されていることを確認できた。
【００３０】
「実施例４」
次に、本発明に係る唇洗浄用ブラシに適用するモーターと偏心錘の振動数及び用毛径についてさらに具体的に説明する。
実施例１、２及び比較例１〜３の唇洗浄ブラシを用い、女性パネル２０名に唇をマッサージさせ、使用性（余分な角質が除去されている感じ、マッサージされている感じ）と為害性（唇の痛みの有無）について、以下の評価基準で判定した。
＜余分な角質が除去されている感じ＞
角質が除去されている感じを感じる人が１５人以上：◎
角質が除去されている感じを感じる人が８〜１４人以上：○
角質が除去されている感じを感じる人が５〜７人以下：△
角質が除去されている感じを感じる人が４名以下：×
＜マッサージされている感じ＞
マッサージされている感じがとても良いと答えた人が１５人以上：◎
マッサージされている感じがとても良いと答えた人が８〜１４人以上：○
マッサージされている感じがとても良いと答えた人が５〜７人以下：△
マッサージされている感じがとても良いと答えた人が４名以下：×
＜唇の痛みの有無＞
唇に痛みを感じると答えた人が１２人以上：×
唇に痛みを感じると答えた人が１１人以下：○
【００３１】
【表４】
2011130982.tif 000006
【００３２】
上記表４の試験結果より、本発明の実施例に係る唇洗浄用ブラシは余分な角質が除去されている感触とマッサージされている感触に優れ、唇に対する痛みも無く、安全な唇洗浄ブラシであることが分かる。特に、細径の用毛により構成される刷掃部位は角質除去感に優れ、軟質樹脂より構成される刷掃部位はマッサージ感に優れることが分かる。
【符号の説明】
【００３３】
Ａ…唇洗浄用ブラシ、１…本体部、２…刷掃部材、２ａ…装着ロッド、２ｂ…刷掃体、３…ハンドル部、５…電源、６…モーター（振動付与機構）、７…偏心錘（振動付与機構）、８…ボトムキャップ、８ａ…筒部、９…防水ゴム、１０、１１…スイッチ、１２…支持軸、１３…毛束、１５…刷掃部、１６…毛束、１７…刷掃部、３０…刷掃部材、３０ａ…装着ロッド、３０ｂ…刷掃体、３３…突起部、３５…刷掃部、４０…刷掃部材、４０ａ…装着ロッド、４０ｂ…刷掃体。
【図１】
2011130982.tif 000007
【図２】
2011130982.tif 000008
【図３】
2011130982.tif 000009
【図４】
2011130982.tif 000010